(57)【要約】【課題】雨水の地下貯留浸透施設において、容量の大きな貯留タンクを装備しなくとも河川への雨水の流入を適正に制御することができるようにし、また、雨水とともに流入する夾雑物を確実に捕捉できるようにする。【解決手段】地面を掘り下げて空間部を形成し、この空間部に複数の枠体ユニットを敷き並べるとともに地表面の近傍まで積み上げて雨水等の貯留タンクを形成し、この貯留タンクに接続した上流側の雨水流路に分水槽を設け、雨水流路に流入する雨水等の流入量が少ないときは前記分水槽に流入した雨水を地中に浸透させ又は雨水排出路に放流し、雨水の流入量が多いときには雨水の一部を貯留タンクに流入させて貯留するように地下貯留施設を構成する。【選択図】図１
2006322148.tif 000002
【特許請求の範囲】
【請求項１】
地面を掘り下げて空間部を形成し、この空間部に複数の枠体ユニットを敷き並べるとともに地表面の近傍まで積み上げて雨水の貯留タンクを形成し、この貯留タンクに接続した上流側の雨水流路に分水槽を設け、雨水流路に流入する雨水の流入量が少ないときは前記分水槽に流入した雨水を地中に浸透させ又は雨水排出路に放流し、雨水の流入量が多いときには雨水の一部を貯留タンクに流入させて貯留することを特徴とする雨水の地下貯留浸透施設。
【請求項２】
貯留タンクの流入口に通ずる流路上に、夾雑物を除去するためのスクリーンを設けたことを特徴とする請求項１に記載の雨水の地下貯留浸透施設。
【発明の詳細な説明】
【技術分野】
【０００１】
本発明は、雨水を地下で貯留するための施設に関する。
【背景技術】
【０００２】
都市郊外の住宅地等では、雨水の河川への流入が集中して河川が氾濫するのを防ぐことを目的として、雨水を貯留して河川への雨水の流入量を制御したり、地下に浸透させたりするための施設を設置することがある。かかる施設としては、例えば図４に示されるように、地中に中空の枠体１０１を積み上げてなる貯留タンク１００を設置し、宅地の側溝その他の排水溝に通ずる流入路１０２と河川に通ずる排出路１０３とをそれぞれ接続し、貯留タンク１００に流入した雨水をタンク周側部と底部から地中に浸透させ、タンクの容量を超えて雨水が流入したときには排出路１０３から排出させる構造のものが知られている（例えば特許文献１参照）。
【０００３】
【特許文献１】特公平４−３５５８０号公報
【発明の開示】
【発明が解決しようとする課題】
【０００４】
河川の氾濫は、雨水の流入が短時間で集中する場合に発生する。従って、雨水を貯留する施設には、集中豪雨があった場合に、多量の雨水を一時的に貯留して、多量の雨水が短時間内に河川に流入しないように、施設から放流する雨水の量を適正に制御する機能が必要とされる。
【０００５】
図示した従来の施設では、流入路１０２が貯留タンク１００に直結し、雨水の全量が貯留タンク１００に流入して、貯留タンク１００がオーバーフローしたときに排水路１０３から流出するようになっている。そのため、例えば朝から昼まで続いた通常の量の降雨が貯留タンク１００に貯留されていたため、その後に発生した集中豪雨によって貯留タンク１００が一気にオーバーフローし、多量の雨水が貯留タンク１００を素通りして河川へと流れ込んでしまう事態も生じかねない。そのため、雨水の放流量を制御できなくなる事態が生じないように、貯留タンク１００は容量の大きな大型のものを用いる必要があった。
また、流入路１０２が貯留タンク１００にそのまま接続し、貯留タンク１００の手前に沈降分離槽やスクリーンが設けられていないため、雨水とともに側溝に流れ落ちたゴミや枯葉、木片、土砂等の夾雑物がタンク内に流入し易く、これら夾雑物を除去するために、特にタンク内や流入路１０２との接続口部分のメンテナンスを頻繁に行わなければならなかった。
【０００６】
本発明は従来技術の有するこのような問題点に鑑み、雨水の地下貯留浸透施設において、必要以上に容量の大きな貯留タンクを装備しなくとも、河川への雨水の流入を適正に制御することができるようにし、また、雨水とともに流入する夾雑物を確実に捕捉して、夾雑物によりタンク内部や雨水流路が目詰まりすることを防止することを課題とする。
【課題を解決するための手段】
【０００７】
前記課題を解決するため本発明の雨水の地下貯留浸透施設は、地面を掘り下げて空間部を形成し、この空間部に複数の枠体ユニットを敷き並べるとともに地表面の近傍まで積み上げて雨水等の貯留タンクを形成し、この貯留タンクに接続した上流側の雨水流路に分水槽を設け、雨水流路に流入する雨水等の流入量が少ないときは前記分水槽に流入した雨水を地中に浸透させ又は雨水排出路に放流し、雨水の流入量が多いときには雨水の一部を貯留タンクに流入させて貯留する構成を有することを特徴とする。
また、貯留タンクの流入口に通ずる流路上に、夾雑物を除去するためのスクリーンを設けたことを特徴とする。
【０００８】
これによれば、側溝等に流れ込んだ雨水は、雨水流入路に集水され、先ず、分水槽へと流れ込む。分水槽内で雨水は、流入量に応じて分水槽から流れ出る先が制御され、雨水の流入量が少ないときは雨水排出路に流出して放流され、多いときには貯留タンクに流入してタンク内に一旦貯留される。
雨水流入路から多量の雨水が流れ込んだ場合にのみ雨水を貯留タンクに流入させて貯留することで、貯留タンクは集中豪雨時に雨水の河川への流れを一時的に止めるバッファとして常時機能し、これにより、貯留タンクの容量を必要以上に大きくしなくとも、多量の雨水が集中して放流されることによる河川の氾濫を防止することができる。雨水排出路や分水槽、或いは貯留タンクを透水性の部材を用いて構成し、それぞれの部材に流入した雨水を地中に浸透させるようにしてもよい。
また、分水槽を含む、貯留タンクの流入口に通ずる流路上に、雨水に混入した夾雑物を捕捉し除去するためのスクリーンを設けることで、夾雑物が貯留タンク内に流入することを防ぎ、タンク内部や雨水の流路が目詰まりすることを防止することができる。
【発明を実施するための最良の形態】
【０００９】
本発明の好適な一実施形態を図面を参照して説明する。
図１は本発明の一実施形態の地下貯留施設の内部空間を縦断面で示した側面視構成図、図２は同じく地下貯留施設の分水槽内の上部空間を横断面で示した施設の平面視構成図、図３は貯留タンクを構成する枠体ユニットの外観構成を示した図である。なお、図では分水槽と沈殿分離槽を貯留タンクよりも拡大して示してある。
【００１０】
図１に示されるように、この地下貯留施設１は、貯留タンク２と、貯留タンク２の上流側に配された分水槽３及び沈殿分離槽４とにより構成されており、沈殿分離槽４には側溝等に流れ込んだ雨水を集水して施設へと導く雨水流入路５が接続し、分水槽３には河川に通ずる雨水排出路６を接続してある。
【００１１】
貯留タンク２は、地面を掘り下げて形成した空間部上に、図３に示される、基板２１ａの下面に中空の管状脚体２１ｂを複数列設して成形されたプラスチック製の枠体ユニット２１を複数敷き並べるとともに、その上面に枠体ユニット２１を互いに連結一体化させながら地表面の近傍まで多段に積み上げ、さらに積み上げた枠体ユニット２１の周囲を遮水シート又は透水シートで覆って形成してあり、多段連結した枠体ユニット２１間の空隙に雨水を貯留することができるように設けてある。
【００１２】
分水槽３は、地面を掘り下げて形成した空間部にコンクリートを打設する等して造成され、貯留タンク２の上流側に隣接して設置してある。
詳しくは、分水槽３は、周囲及び上下両面を壁面３１で囲んで適宜な深さの箱状の空間に区画されており、その内部を仕切壁３２で、入水室３Ａと分流室３Ｂと排水室３Ｃとの三つの空間に仕切るとともに、各室間を仕切壁３２に設けた開口３３で連通させて形成してある。
【００１３】
入水室３Ａは、最も上流側に位置し、その上部は沈殿分離槽４と接続した配管７が接続し、下部は開口３３を介して分流室３Ｂと接続しており、沈殿分離槽４を通った雨水を分水槽３内に流入させ、流入した雨水を開口３３を通して分流室３Ｂへと流出させるようになっている。分流室３Ｂとの接続口である開口３３には、網状のスクリーン８ａが開動自在に設置してあり、雨水に混じった夾雑物を入水室３Ａ内で捕捉することができるように設けてある。
【００１４】
分流室３Ｂは、その内部が、仕切壁３２で上部空間３Ｂ１と下部空間３Ｂ２に仕切られているとともに、当該仕切壁３２の面内に形成された開口３３で両空間を連通させてある。前記上部空間３Ｂ１は貯留タンク２の流入口２１に接続し、また、下部空間３Ｂ２は当該空間に隣接した排水室３Ｃに開口３３を介して接続してあり、分流室３Ｂに雨水が多量に流入し、当該室内の水位が下部空間３Ｂ２以上に上昇したときは雨水を貯留タンク２に流入させ、流入する雨水の量が少なく水位が低いときには、排水室３Ｃへと雨水を流出させるようになっている。上下空間を接続する開口３３には、開閉自在のスクリーン８ｂと固定されたスクリーン８ｃが設置してあり、木片や落ち葉等の夾雑物を下部空間３Ｂ１内で捕捉して貯留タンク２に流入するのを防止することができるように設けてある。また、下部空間３Ｂ２の底部には前記スクリーン８ａで除去されなかった砂利等を堆積させるための汚泥ピット３４が設けてあり、さらに、上部空間３Ｂ１の上面には地上へと通じる蓋３５ａ付きの点検孔３５が設けてあり、作業者が分水槽３内に入って、各スクリーンに付着した夾雑物や汚泥ピット３４に堆積した砂利等を取り除く等のメンテナンスを行えるようになっている。
【００１５】
排水室３Ｃは、前記下部空間３Ｂ２に隣接し且つ上部空間３Ｂ１の下側に位置しており、その一側が開口３３を介して下部空間３Ｂ２と接続し、他側が雨水排出路６と接続するとともに貯留タンク２の排出口２２とも接続しており、下部空間３Ｂ２又は貯留タンク２から室内に流入した雨水を雨水排出路６へと流出させるようになっている。また、貯留タンク２との接続口にはスクリーン８ｄが設置されており、水位が上昇して貯留タンク２に雨水が流入出するときにも夾雑物を捕捉する。
【００１６】
沈殿分離槽４は、分水槽３手前の雨水流入路５上に設置されて、雨水流入路５を流れる雨水に含まれる砂利等を槽内に沈殿させて除去できるように設けてある。沈殿分離槽４も分水槽３と同様に、槽内に堆積した砂利等を除去するための、蓋４１ａ付きの点検孔４１が設けてある。なお、前記貯留タンク２や分水槽３、沈殿分離槽４は透水性の部材を用いて構成し、また、雨水流入路５や雨水排出路６は有孔管を用いて構成して、各部に流入した雨水を地中に浸透させるようにしてもよい。また、沈殿分離槽４は、施設施工場所等に応じて省略してもよい。
【００１７】
このように構成された本形態の地下貯留施設１は、降雨時に雨水流入路５から流れ込む雨水は、沈殿分離槽４を通って分水槽３の入水室３Ａへと流れ込み、雨量が少ないときは、分流室３Ｂの下部空間３Ｂ２を通って排水室３Ｃに流入し、そのまま雨水排出路６へと排水される（図中、実線矢符Ａ）。
一方、集中豪雨等によって雨量が多いときには、分流室３Ｂ内の水位の上昇に伴って下部空間３Ｂ２から上部空間３Ｂ１へと雨水が流れ込み、さらに上部空間３Ｂ１から貯留タンク２に流入して、当該タンク内に一旦貯留される。そして、貯留された雨水は、降雨が集中した時間差を経て、或いはタンクのオーバーフローにより、貯留タンク２から排水室３Ｃに排出されて雨水排出路６へと排水される（図中、破線矢符Ｂ）。
【００１８】
このように、雨水流入路５から多量の雨水が流れ込んだ場合にのみ雨水を貯留タンク２に貯留することで、多量の雨水が河川に放流される時間差を作ることができ、貯留タンク２の容量を必要以上に大きくしなくとも、多量の雨水が集中して放流されることによる河川の氾濫を防止することができる。
また、地下貯留施設１に流れ込んだ雨水は、沈殿分離槽４と分水槽３内を流れる過程で、各沈殿ピット及び各スクリーンで夾雑物が濾過、沈殿されて除去され、貯留タンク２や雨水排出路６に夾雑物が流入して流路を目詰まりさせることを防止することができる。
【００１９】
なお、図示した施設の形態は一例であり、本発明は図示した形態に限定されず、他の適宜な形態で構成可能である。
【図面の簡単な説明】
【００２０】
【図１】本発明の一実施形態の地下貯留施設の内部空間を縦断面で示した側面視構成図である。
【図２】図１の地下貯留施設の分水槽内の上部空間を横断面で示した施設の平面視構成図である。
【図３】貯留タンクを構成する枠体ユニットの外観構成図である。
【図４】従来の地下貯留施設の構成を示す断面図である。
【符号の説明】
【００２１】
１  地下貯留施設、２  貯留タンク、３  分水槽、３１壁面、３２  仕切壁、３３  開口、３Ａ  入水室、３Ｂ  分流室、３Ｂ１  上部空間、３Ｂ２  下部空間、３Ｃ  排水室、４  沈殿分離槽、５  雨水流入路、６  雨水排出路、７  配水管、８  スクリーン
【図１】
2006322148.tif 000003
【図２】
2006322148.tif 000004
【図３】
2006322148.tif 000005
【図４】
2006322148.tif 000006